(57)【特許請求の範囲】
【請求項１】
釣竿の竿体に設けられリールを脱着自在に装着するためのリールシートであって、
前記竿体の所定位置の周面に固定され、前記リールの脚部を載置するための載置面及び前記竿体の軸方向に開口し前記脚部の一端が挿入される固定フードが上面側に形成された本体部と、
前記竿体上に前記軸方向に移動自在に配置され、前記本体部の固定フードと前記軸方向に対向するよう開口し、前記固定フード側に移動したとき前記脚部の他端を覆うことが可能な移動フードを有する移動シート部とを備え、
前記移動シート部は、前記軸方向に貫通する貫通孔を有すると共に軸方向中央付近に上面側から開口して前記貫通孔に連続する空間を有するカバー本体と、前記軸方向に貫通する貫通孔を有する箱形部材であって、前記竿体及び前記本体部が前記貫通孔を貫通した状態で前記空間内に配置されるロック部と、前記カバー本体と前記ロック部との間に配置され、前記カバー本体に対して前記ロック部を相対的に上方に付勢している付勢手段と、前記付勢手段で前記カバー本体に対して前記ロック部が付勢されたとき、前記移動シート部の前記固定フード側への移動を可能とするとともに、前記移動シート部の反対方向への移動を規制する規制手段とからなっている
ことを特徴とするリールシート。
【請求項２】
前記本体部は、上面に穂先側に向かって開口する固定フードを備えると共に、穂先側が小径で竿元側が大径化する傾斜が付けられた軸方向に並列する複数の第１噛合歯を穂先側端部周面に有し、
前記移動シート部の規制手段は、前記第１噛合歯に噛み合う噛合状態と前記第１噛合歯から離れる離間状態とをとり得る第２噛合歯であり、
前記付勢手段は、前記第２噛合歯を前記噛合状態に付勢する付勢バネである
ことを特徴とする請求項１に記載のリールシート。
【発明の詳細な説明】
【０００１】
【発明の属する技術分野】
本発明は、釣竿の竿体外周面に設けられリールを取付可能なリールシートに関する。
【０００２】
【従来の技術】
釣竿には、スピニングリール，両軸受けリール等の釣用リールを取り付けるためのリールシートが設けられている。例えば、従来のリールシートでナット式と呼ばれるリールシートは、釣用リールの脚部の一端を係止する固定フードと雄ネジ部とを有する本体部と、移動シート部と、ナット部とを有している。この移動シート部はリールの脚部の他端を係止する移動フード部を有し、シート本体に対して相対移動可能である。ナット部は雄ネジ部に螺合して移動シート部を移動させる。
【０００３】
このようなリールシートでは、リールの脚部の一端を本体部の固定フードに係止した状態でナット部を回転させて、移動シート部を固定フードに接近させて、移動シート部の移動フードでリールの脚部の他端を係止する。このように固定フード及び移動フードでリールの脚部を挟持してリールを釣竿に固定する。
【０００４】
【発明が解決しようとする課題】
従来のナット式のリールシートでは、リールを脱着する際にはその度にナット部を回転させて移動シート部を移動させなければならず、その操作が煩雑である。
【０００５】
本発明の課題は、リールの脱着操作が容易に行えるリールシートを提供することにある。
【０００６】
【課題を解決するための手段】
発明１にかかるリールシートは、釣竿の竿体に設けられリールを脱着自在に装着するためのリールシートであって、竿体の所定位置の周面に固定され、リールの脚部を載置するための載置面及び竿体の軸方向に開口し脚部の一端が挿入される固定フードが上面側に形成された本体部と、竿体上に軸方向に移動自在に配置され、本体部の固定フードと軸方向に対向するよう開口し、固定フード側に移動したとき脚部の他端を覆うことが可能な移動フードを有する移動シート部とを備え、移動シート部は、軸方向に貫通する貫通孔を有すると共に軸方向中央付近に上面側から開口して貫通孔に連続する空間を有するカバー本体と、軸方向に貫通する貫通孔を有する箱形部材であって、竿体及び前記本体部が貫通孔を貫通した状態で空間内に配置されるロック部と、カバー本体とロック部との間に配置され、カバー本体に対してロック部を相対的に上方に付勢している付勢手段と、付勢手段でカバー本体に対してロック部が付勢されたとき、移動シート部の固定フード側への移動を可能とするとともに、移動シート部の反対方向への移動を規制する規制手段とからなっていることを特徴とする。
【０００７】
このリールシートにリールを装着する際には、一端を固定フードに挿入して係止しつつ本体部の載置面にリールの脚部を載置する。そして、移動シート部を固定フード側に移動させてその移動フードでリールの脚部の他端を覆い係止し、固定フードと移動フードとでリールの脚部を挟持するようにしてリールを固定する。ここで、規制手段は移動シート部の固定フード側への移動のみを可能としているので、移動シート部はそのまま固定フード側に移動し且つ反対側へは移動せず、ワンタッチでリールの取付が可能である。
【０００８】
一方、リールを取り外す際には、解除手段を用いることで、規制手段による移動シート部の規制を解除されて移動シートは反対側へ移動し、容易にリールを取り外すことが可能となる。
【０００９】
発明２にかかるリールシートは、発明１のリールシートであって、本体部は、上面に穂先側に向かって開口する固定フードを備えると共に、固定フード側ほど大径化する傾斜がそれぞれ付けられた軸方向に並列する複数の第１噛合歯を穂先側端部周面に有している。一方、移動シート部の規制手段は、第１噛合歯に噛み合う噛合状態と第１噛合歯から離れる離間状態とをとり得る第２噛合歯であり、付勢手段は、第２噛合歯を噛合状態に付勢する付勢バネであることを特徴とする。
【００１０】
このリールシートでは、付勢バネによって付勢され噛合状態となっている第１噛合歯と第２噛合歯とによって、移動シート部と本体部とは位置決めされている。この第１噛合歯と第２噛合歯とはそれぞれ固定フード側ほど大径化する傾斜が形成されており、互いに歯をのり越えることで、固定フード側へ移動シートが相対的に移動可能である。一方で、反対側への移動は規制されている。そして、付勢バネに反して移動シート部を離間状態とすることで、反対側への相対移動も可能となる。
【００１１】
【発明の実施の形態】
以下、本発明の一実施形態について、図面を参照しつつ説明する。
本発明の一実施形態を採用した釣竿は、竿体１と、竿体１の竿元側周面に配置されるグリップ２と、グリップ２の穂先側の竿体１周面に配置されるリールシート１０と、竿体１の周面に軸方向に間隔を隔てて配置された複数の釣糸ガイド３とを有している。
【００１２】
竿体１は、繊維強化樹脂から構成される先細り筒状体であり、一般に、複数のパーツを振出式または並継式に組み合せて構成されている。
リールシート１０は、釣用リール（図示せず）の脚部を係止して釣用リールを竿体１に装着するための部分である。図２〜７に詳しく示すように、このリールシート１０は、竿体１の上側周面に固定され、リールを載置するための載置面が上面側に形成された略半割筒状の上本体部１１と、竿体１の下側周面に上本体部１１と共に配置される略半割筒状の下本体部１２と、上本体部１１と下本体部１２の穂先側を覆うように配置されるフロントカバー１３と、上本体部１１と下本体部１２の竿元側を覆うように配置されるナット部１５とを有している。
【００１３】
上本体部１１は、軸方向に伸びる貫通孔を有し（図５・６参照）ここに竿体１が貫通した状態で竿体１の周面に固定される合成樹脂または金属からなる変形半割筒状部材である。外形上リールシート１０の上側半分を構成することになる。この上本体部１１の上側面の所定の位置には平坦な載置面が形成されており、その竿元側には穂先側に開口する固定フード１１ａが形成されている。固定フード１１ａの竿元側には弾性体やその他の合成樹脂からなる部材１４が貼り付けられ固定されている。また、上本体部１１の竿元側端部分は小径部分となっており、この外周にナット部１５が配置される。さらに、図７に詳しく示すように、上本体部１１の穂先側部分における下面側部分には軸方向に並んで一定の範囲に複数の突起１１ｂが形成されている。この突起１１ｂはそれぞれ竿元側が大径・穂先側が小径になるように傾斜がつけられている。
【００１４】
下本体部１２は、軸方向に伸びる外形上略半割筒状部材である。上本体１０と同様に合成樹脂等によって形成される。外形上は上本体部１０と一体性をかもしだすように連続して略円筒型を形成するようにデザインされており、さらにそのデザインに合わせて種々の湾曲が施されている（図２参照）。また、図５及び図６等に示すように、径方向断面視においてはその中央付近に上方に向かってコの字型のフック部分を有し、この部分が上本体部１１に組み合わされ、上本体部１１に対して周方向に回転不在で軸方向には移動可能になっている。さらに、下本体部１２の竿元側端部はやや小径化した雄ねじ部１２ａとなっており、その外周にナット部１５が配置される（図８参照）。なお、下本体部１２の軸方向長さ中央付近よりやや穂先側には下方に突出するトリガー１２ｂが一体的に形成されている（図２参照）。
【００１５】
図３，４及び図７に詳しく示すように、フロントカバー１３は略円筒型部材であり、内部を軸方向に竿体１が貫通すると共に、竿元側の開口から内部に上本体部１１と下本体部１２とを収納した状態で配置されている。そして、このフロントカバー１３は、カバー本体２１と、このカバー本体２１内に配置されるロック部２２と、ロック部２２内に配置されるコイルバネ２３とから構成されている。
【００１６】
カバー本体２１は、軸方向に貫通する貫通孔を有すると共に軸方向中央付近に上面側から開口して貫通孔に連続する空間１００を有する部材である。貫通孔には軸方向に竿体１及び上本体部１１が挿通される。また、貫通孔の竿元側端部上側は上本体部１１の載置面に位置し、ここが移動フードとして載置面に載置されるリールの脚部を覆うようになっている。一方、貫通孔の竿元側端部下側は竿体１との間に比較的大きな空隙が形成されており、後述のように、ここに竿元側から下本体部１２が軸方向に移動しつつ出入りするようになっている（図９参照）。
【００１７】
ロック部２２は、図４及び図７に示すように、軸方向に貫通する貫通孔を有する箱形部材である。竿体１及び上本体部１１がこの貫通孔を貫通した状態でロック部２２はカバー本体２１の空間１００内に配置される。その下面側に余剰の空隙があるように空間１００は設定されており、空間１００内において上下方向にロック部２２は移動可能である。
【００１８】
一方、ロック部２２内には上本体部１１との間にコイルバネ２３が配置されている。このコイルバネ２３がロック部２２を相対的に上方に付勢し、ロック部２２は空間１００上端周縁のカバー本体２１のフランジで抑えられて上方へ飛び出すのを抑えられている。一方、ロック部２２の貫通孔下側内周面には、軸方向に並んで複数の突起２２ａが形成されている。この突起２２ａはそれぞれ竿元側が大径・穂先側が小径になるように傾斜がつけられており、上本体部１１の穂先側部分における下面側部分の突起１１ｂと噛み合うようになっている。
【００１９】
図８に詳しく示すように、ナット部１５は、上本体部１１・下本体部１２の竿元側端部を内部に収納するように配置される筒状部材である。穂先側部分は大径部分・竿元側部分は小径部分となっており、この大径部分は外部に露出し、小径部分はグリップ２の穂先側に覆われている。そして、竿体１及び上本体部１１・下本体部１２の外周を周方向に回転自在となっている。また、小径部分の内周面にはねじ山が形成されて雌ねじ部となっており、下本体部１２の雄ねじ部１２ａが螺合している。
【００２０】
この釣竿では、竿体１に固定されているリールシート１０の上本体部１１の載置面にリールの脚部を載置し、その一端を固定フード１１ａに挿入し、フロントカバー１３を竿元側に移動させてカバー本体２１の竿元側端部でリールの脚部の他端を覆い、固定フード１１ａとカバー本体２１とでリールの脚部を挟持して固定する（図９（a）参照）。このようにフロントカバー１３を竿元側に移動させる場合は、ロック部２２の複数の突起２２ａと上本体部１１の穂先側部分における下面側部分の突起１１ｂとはその傾斜方向から竿元側には容易にスライドする。そして、コイルバネ２３の付勢によって噛み合っている突起１１ｂ，２２ａはフロントカバー１３の穂先側へのスライドを規制している。
【００２１】
一方、リールを取り外す場合には、図９（ｂ）に示すように、フロントカバー１３のロック部２２をコイルバネ２３の押し込み、突起１１ｂ，２２ａの噛み合いを解除する。これにより、フロントカバー１３は穂先側に移動でき、リールを取り外すことができる。
【００２２】
また、リールを取り付けて釣りを行う場合には、釣人はトリガー１２ｂに指をかけながらリールシート１０及びリールを把持して釣りを行う。ここで、上本体部１１自体は竿体１周面に固定されているため、リール取付時の安定性に欠けるものではない。そして、釣人が手の大きさや感覚に従ってトリガー１２ｂの位置を調整したい場合には、図１０に示すように、ナット部１５を周方向に回転させることで、ナット部１５に螺合している下本体部１２が軸方向に移動すると共に任意の箇所で固定される。このトリガー１２ｂはリールシートの下本体部の一部として形成されており、耐久性にも優れるものである。また、上本体部１１と下本体部１２とが組み合わされて略円筒型を形成しており、外形上通常のリールシートと相違することもない。
【００２３】
［他の実施形態］
（ａ）固定フード，フロントカバーの軸方向位置を穂先側と竿元側とで入れ替えてもよい。
【００２４】
【発明の効果】
本発明に係るリールシートによれば、容易にリールの脱着が可能である。
【図面の簡単な説明】
【図１】本発明の一実施形態を採用した釣竿の全体図。
【図２】図１のリールシート付近の拡大図。
【図３】図２の軸方向断面図。
【図４】図３のIV−IV断面図。
【図５】図３のV−V断面図。
【図６】図３のVI−VI断面図。
【図７】フロントカバーの断面図。
【図８】ナット部付近の断面図。
【図９】フロントカバーの移動を示した図。
【図１０】下本体部の移動を示した図。
【符号の説明】
１  竿体
１０  リールシート
１１  上本体部
１２  下本体部
１２ｂ  トリガー
１３  フロントカバー
１５  ナット部
２１  カバー本体
２２  ロック部
２３  コイルバネ
【図１】
0004849714.tif 000002
【図２】
0004849714.tif 000003
【図３】
0004849714.tif 000004
【図４】
0004849714.tif 000005
【図５】
0004849714.tif 000006
【図６】
0004849714.tif 000007
【図７】
0004849714.tif 000008
【図８】
0004849714.tif 000009
【図９】
0004849714.tif 000010
【図１０】
0004849714.tif 000011